【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
陽極と陰極とに挟まれた少なくとも１層の有機層を含む有機発光素子において、
前記有機層の少なくとも１層が、正孔輸送性および電子輸送性のいずれか一方のキャリア輸送性ならびに燐光発光性を有する重合性化合物（ａ１）から導かれる構造単位と、他方のキャリア輸送性を有する重合性化合物（ｂ）から導かれる構造単位とを有する高分子化合物（Ｉ）を含む発光層であり、
前記重合性化合物（ａ１）が、下記式（Ｅ１−１）〜（Ｅ１−３９）からなる群より選ばれることを特徴とする有機発光素子。
【化１】
2007266071.tif 000001
【化２】
2007266071.tif 000002
【化３】
2007266071.tif 000003
【化４】
2007266071.tif 000004
（式（Ｅ１−１）中、水素原子のうち少なくとも１つは、ハロゲン原子、シアノ基、炭素数１〜１０のアルキル基、炭素数６〜１０のアリール基、炭素数１〜１０のアルキル基によって置換されていてもよいアミノ基、炭素数１〜１０のアルコキシ基、およびシリル基からなる群より選ばれる基で置き換えられており、別の水素原子のうち１つは、下記一般式（Ｈ１）
【化５】
2007266071.tif 000005
で表される重合性基で置き換えられている。ここで、Ｒ25は水素原子または炭素数１〜５の鎖状のアルキル基を表す。式（Ｅ１−２）〜式（Ｅ１−３９）中の水素原子についても、式（Ｅ１−１）中の水素原子と同様である。）
【請求項２】
前記重合性化合物（ａ１）が正孔輸送性のキャリア輸送性および燐光発光性を有し、前記重合性化合物（ｂ）が電子輸送性のキャリア輸送性を有することを特徴とする請求項１に記載の有機発光素子。
【請求項３】
前記重合性化合物（ａ１）が電子輸送性のキャリア輸送性および燐光発光性を有し、前記重合性化合物（ｂ）が正孔輸送性のキャリア輸送性を有することを特徴とする請求項１に記載の有機発光素子。
【請求項４】
前記重合性化合物（ａ１）が、前記式（Ｅ１−１）で表されることを特徴とする請求項２に記載の有機発光素子。
【請求項５】
陽極と陰極とに挟まれた少なくとも１層の有機層を含む有機発光素子において、
前記有機層の少なくとも１層が、正孔輸送性および電子輸送性のいずれか一方のキャリア輸送性ならびに燐光発光性を有する化合物（ａ２）と、他方のキャリア輸送性を有する重合性化合物（ｂ）から導かれる構造単位を有する高分子化合物（ＩＩ）とを含む発光層であり、
前記化合物（ａ２）が、下記式（Ｅ２−１）〜（Ｅ２−３９）からなる群より選ばれることを特徴とする有機発光素子。
【化６】
2007266071.tif 000006
【化７】
2007266071.tif 000007
【化８】
2007266071.tif 000008
【化９】
2007266071.tif 000009
（式（Ｅ２−１）中、水素原子のうち少なくとも１つは、ハロゲン原子、シアノ基、炭素数１〜１０のアルキル基、炭素数６〜１０のアリール基、炭素数１〜１０のアルキル基によって置換されていてもよいアミノ基、炭素数１〜１０のアルコキシ基、およびシリル基からなる群より選ばれる基で置き換えられている。式（Ｅ２−２）〜式（Ｅ２−３９）中の水素原子についても、式（Ｅ２−１）中の水素原子と同様である。）
【請求項６】
前記化合物（ａ２）が正孔輸送性のキャリア輸送性および燐光発光性を有し、前記重合性化合物（ｂ）が電子輸送性のキャリア輸送性を有することを特徴とする請求項５に記載の有機発光素子。
【請求項７】
前記化合物（ａ２）が電子輸送性のキャリア輸送性および燐光発光性を有し、前記重合性化合物（ｂ）が正孔輸送性のキャリア輸送性を有することを特徴とする請求項５に記載の有機発光素子。
【請求項８】
前記化合物（ａ２）が、前記式（Ｅ２−１）で表されることを特徴とする請求項６に記載の有機発光素子。
【請求項９】
前記高分子化合物（Ｉ）が、全構造単位中、前記重合性化合物（ａ１）から導かれる構造単位を３〜６０重量％の量で含むことを特徴とする請求項１〜４のいずれかに記載の有機発光素子。
【請求項１０】
前記発光層が、前記化合物（ａ２）および前記高分子化合物（ＩＩ）の全量に対して、前記化合物（ａ２）を３〜６０重量％の量で含むことを特徴とする請求項５〜８のいずれかに記載の有機発光素子。
【請求項１１】
前記発光層が、前記重合性化合物（ａ１）よりも低エネルギーで発光する燐光発光性を有する化合物（ｄ）を含むことを特徴とする請求項１〜４および９のいずれかに記載の有機発光素子。
【請求項１２】
前記発光層が、前記化合物（ａ２）よりも低エネルギーで発光する燐光発光性を有する
化合物（ｄ）を含むことを特徴とする請求項５〜８および１０のいずれかに記載の有機発光素子。
【請求項１３】
請求項１〜１２のいずれかに記載の有機発光素子を用いたことを特徴とする表示装置。
【請求項１４】
請求項１〜１２のいずれかに記載の有機発光素子を用いたことを特徴とする面発光光源。
【請求項１５】
請求項１〜１２のいずれかに記載の有機発光素子を用いたことを特徴とする表示装置用バックライト。
【請求項１６】
請求項１〜１２のいずれかに記載の有機発光素子を用いたことを特徴とする照明装置。
【請求項１７】
請求項１〜１２のいずれかに記載の有機発光素子を用いたことを特徴とするインテリア。
【請求項１８】
請求項１〜１２のいずれかに記載の有機発光素子を用いたことを特徴とするエクステリア。
【手続補正２】
【補正対象書類名】明細書
【補正対象項目名】００１４
【補正方法】変更
【補正の内容】
【００１４】
（式（Ｅ１−１）中、水素原子のうち少なくとも１つは、ハロゲン原子、シアノ基、炭素数１〜１０のアルキル基、炭素数６〜１０のアリール基、炭素数１〜１０のアルキル基によって置換されていてもよいアミノ基、炭素数１〜１０のアルコキシ基、およびシリル基からなる群より選ばれる基で置き換えられており、別の水素原子のうち１つは、下記一般式（Ｈ１）
【手続補正３】
【補正対象書類名】明細書
【補正対象項目名】００１６
【補正方法】変更
【補正の内容】
【００１６】
で表される重合性基で置き換えられている。ここで、Ｒ25は水素原子または炭素数１〜５の鎖状のアルキル基を表す。式（Ｅ１−２）〜式（Ｅ１−３９）中の水素原子についても、式（Ｅ１−１）中の水素原子と同様である。）
［２］  上記重合性化合物（ａ１）が正孔輸送性のキャリア輸送性および燐光発光性を有し、上記重合性化合物（ｂ）が電子輸送性のキャリア輸送性を有することを特徴とする上記［１］に記載の有機発光素子。
［３］  上記重合性化合物（ａ１）が電子輸送性のキャリア輸送性および燐光発光性を有し、上記重合性化合物（ｂ）が正孔輸送性のキャリア輸送性を有することを特徴とする上記［１］に記載の有機発光素子。
［４］  上記重合性化合物（ａ１）が、上記式（Ｅ１−１）で表されることを特徴とする上記［２］に記載の有機発光素子。
［５］  陽極と陰極とに挟まれた少なくとも１層の有機層を含む有機発光素子において、
上記有機層の少なくとも１層が、正孔輸送性および電子輸送性のいずれか一方のキャリ
ア輸送性ならびに燐光発光性を有する化合物（ａ２）と、他方のキャリア輸送性を有する重合性化合物（ｂ）から導かれる構造単位を有する高分子化合物（ＩＩ）とを含む発光層であり、
上記化合物（ａ２）が、下記式（Ｅ２−１）〜（Ｅ２−３９）からなる群より選ばれることを特徴とする有機発光素子。
【手続補正４】
【補正対象書類名】明細書
【補正対象項目名】００２１
【補正方法】変更
【補正の内容】
【００２１】
（式（Ｅ２−１）中、水素原子のうち少なくとも１つは、ハロゲン原子、シアノ基、炭素数１〜１０のアルキル基、炭素数６〜１０のアリール基、炭素数１〜１０のアルキル基によって置換されていてもよいアミノ基、炭素数１〜１０のアルコキシ基、およびシリル基からなる群より選ばれる基で置き換えられている。式（Ｅ２−２）〜式（Ｅ２−３９）中の水素原子についても、式（Ｅ２−１）中の水素原子と同様である。）
［６］  上記化合物（ａ２）が正孔輸送性のキャリア輸送性および燐光発光性を有し、上記重合性化合物（ｂ）が電子輸送性のキャリア輸送性を有することを特徴とする上記［５］に記載の有機発光素子。
［７］  上記化合物（ａ２）が電子輸送性のキャリア輸送性および燐光発光性を有し、上記重合性化合物（ｂ）が正孔輸送性のキャリア輸送性を有することを特徴とする上記［５］に記載の有機発光素子。
［８］  上記化合物（ａ１）が、上記式（Ｅ２−１）で表されることを特徴とする上記［６］に記載の有機発光素子。
［９］  上記高分子化合物（Ｉ）が、全構造単位中、上記重合性化合物（ａ１）から導かれる構造単位を３〜６０重量％の量で含むことを特徴とする上記［１］〜［４］のいずれかに記載の有機発光素子。
［１０］  上記発光層が、上記化合物（ａ２）および上記高分子化合物（ＩＩ）の全量に対して、上記化合物（ａ２）を３〜６０重量％の量で含むことを特徴とする上記［５］〜［８］のいずれかに記載の有機発光素子。
［１１］  上記発光層が、上記重合性化合物（ａ１）よりも低エネルギーで発光する燐光発光性を有する化合物（ｄ）を含むことを特徴とする上記［１］〜［４］および［９］のいずれかに記載の有機発光素子。
［１２］  上記発光層が、上記化合物（ａ２）よりも低エネルギーで発光する燐光発光性を有する化合物（ｄ）を含むことを特徴とする上記［５］〜［８］および［１０］のいずれかに記載の有機発光素子。
［１３］  上記［１］〜［１２］のいずれかに記載の有機発光素子を用いたことを特徴とする表示装置。
［１４］  上記［１］〜［１２］のいずれかに記載の有機発光素子を用いたことを特徴とする面発光光源。
［１５］  上記［１］〜［１２］のいずれかに記載の有機発光素子を用いたことを特徴とする表示装置用バックライト。
［１６］  上記［１］〜［１２］のいずれかに記載の有機発光素子を用いたことを特徴とする照明装置。
［１７］  上記［１］〜［１２］のいずれかに記載の有機発光素子を用いたことを特徴とするインテリア。
［１８］  上記［１］〜［１２］のいずれかに記載の有機発光素子を用いたことを特徴とするエクステリア。